(57)【要約】【課題】利用者の手間を軽減することが可能な携帯端末装置、医療情報システム、プログラムを提供する。【解決手段】  医療施設で用いられ、医療用プログラムが格納されたサーバと、医療施設で用いられ、サーバに通信線を介してアクセスするクライアントと、を含む医療情報システムのサーバに無線通信でアクセスし、医療施設で用いられる携帯端末装置であって、サーバに格納された医療用プログラムをインストールする際に実行される所定のプログラムを記憶する記憶部と、所定のプログラムが実行されると、サーバに格納された医療用プログラムをインストールさせるための所定の画面を表示装置に表示させる表示部と、所定のプログラムが実行されると、携帯端末装置に設けられた複数の装置のうち所定の装置について状態を設定する制御部と、を備える。【選択図】図１
2014029640.tif 000002
【特許請求の範囲】
【請求項１】
医療施設で用いられ、医療用プログラムが格納されたサーバと、前記医療施設で用いられ、前記サーバに通信線を介してアクセスするクライアントと、を含む医療情報システムの前記サーバに無線通信でアクセスし、前記医療施設で用いられる携帯端末装置であって、
前記サーバに格納された前記医療用プログラムをインストールする際に実行される所定のプログラムを記憶する記憶部と、
前記所定のプログラムが実行されると、前記サーバに格納された前記医療用プログラムをインストールさせるための所定の画面を表示装置に表示させる表示部と、
前記所定のプログラムが実行されると、前記携帯端末装置に設けられた複数の装置のうち、所定の装置について状態を設定する制御部と、
を備えることを特徴とする携帯端末装置。
【請求項２】
前記制御部は、前記携帯端末装置に設けられた複数の装置のうち、何れの装置についてどのような状態に設定するかを示す所与の設定データに基づいて、所定の装置について状態を設定することを特徴とする請求項１に記載の携帯端末装置。
【請求項３】
前記設定データは、何れの装置を有効にするか又は無効にするかを示すデータを含むことを特徴とする請求項２に記載の携帯端末装置。
【請求項４】
前記所定の設定データを前記サーバからダウンロードして前記記憶部に記憶することを特徴とする請求項３に記載の携帯端末装置。
【請求項５】
前記所定のプログラムを前記サーバからダウンロードして実行することを特徴とする請求項４に記載の携帯端末装置。
【請求項６】
医療施設で用いられ、医療用プログラムが格納されたサーバと、
前記医療施設で用いられ、前記サーバに通信線を介してアクセスするクライアントと、
前記医療施設で用いられ、前記サーバに無線通信でアクセスする携帯端末装置と、
を備え、
前記携帯端末装置は、
前記サーバに格納された前記医療用プログラムをインストールする際に実行される所定のプログラムを記憶する記憶部と、
前記所定のプログラムが実行されると、前記サーバに格納された前記医療用プログラムをインストールさせるための所定の画面を表示装置に表示させる表示部と、
前記所定のプログラムが実行されると、前記携帯端末装置に設けられた複数の装置のうち、所定の装置について状態を設定する制御部と、
を含むことを特徴とする医療情報システム。
【請求項７】
医療施設で用いられ、医療用プログラムが格納されたサーバと、前記医療施設で用いられ、前記サーバに通信線を介してアクセスするクライアントと、を含む医療情報システムの前記サーバに無線通信でアクセスし、前記医療施設で用いられる携帯端末装置に、
前記サーバに格納された前記医療用プログラムをインストールさせるための所定の画面を表示装置に表示させる機能と、
前記携帯端末装置に設けられた複数の装置のうち、所定の装置について状態を設定する機能と、
を実現させるプログラム。
【発明の詳細な説明】
【技術分野】
【０００１】
本発明は、携帯端末装置、医療情報システム、プログラムに関する。
【背景技術】
【０００２】
一般的な医療情報システムは、電子カルテや診療報酬点数等を示すデータを格納するサーバと、サーバに通信線を介してアクセスする複数のクライアントとを含んで構成される（例えば、特許文献１参照）。
【先行技術文献】
【特許文献】
【０００３】
【特許文献１】特開２０１０−１１９５１２号公報
【発明の概要】
【発明が解決しようとする課題】
【０００４】
ところで、クライアントとして用いられるパーソナルコンピュータは、一般に、医療施設の診察室や会計室等には設置されているものの、病室には設置されていないことが多い。病室においても、医療スタッフ等に電子カルテを参照、若しくは記入等させることを可能にするために、例えば携帯端末装置を用いることができる。しかしながら、一般的に携帯端末装置には様々な機能やハードウェアが付加されており、それらは必ずしも医療情報システムの端末装置として必要なものばかりでもない。また、一方で特定の機能やハードウェアを所定の設定にすることで、医療情報システムの端末装置として好適であったり、使い勝手が増すものもある。そこで、使用開始にあたって特定のハードウェアの有効／無効の設定や、その他所定の設定をする必要があるが、このような設定作業は非常に手間を要する。
【０００５】
本発明は上記課題を鑑みてなされたものであり、利用者の手間を軽減することが可能な携帯端末装置、医療情報システム、プログラムを提供することを目的とする。
【課題を解決するための手段】
【０００６】
上記目的を達成するため、本発明の一つの側面に係る、医療施設で用いられ、医療用プログラムが格納されたサーバと、前記医療施設で用いられ、前記サーバに通信線を介してアクセスするクライアントと、を含む医療情報システムの前記サーバに無線通信でアクセスし、前記医療施設で用いられる携帯端末装置は、前記サーバに格納された前記医療用プログラムをインストールする際に実行される所定のプログラムを記憶する記憶部と、前記所定のプログラムが実行されると、前記サーバに格納された前記医療用プログラムをインストールさせるための所定の画面を表示装置に表示させる表示部と、前記所定のプログラムが実行されると、前記携帯端末装置に設けられた複数の装置のうち、所定の装置について状態を設定する制御部と、を備える。
【発明の効果】
【０００７】
利用者の手間を軽減することが可能な携帯端末装置、医療情報システム、プログラムを提供することができる。
【図面の簡単な説明】
【０００８】
【図１】医療施設に設けられた医療情報システム１０の構成を示す図である。
【図２】携帯端末装置２３の構成を示す図である。
【図３】ＣＰＵ６０に実現される機能ブロックの一例を示す図である。
【図４】表示パネル６２に表示されるインストール画面１００の一例を示す図である。
【図５】設定プログラム４５が実行された際の処理の一例を示すフローチャートである。
【発明を実施するための形態】
【０００９】
本明細書および添付図面の記載により、少なくとも以下の事項が明らかとなる。
【００１０】
＜＜医療情報システム１０の構成＞＞
図１は、本発明の一実施形態である、病院や診療所等の医療施設に設けられた医療情報システム１０の構成を示す図である。
【００１１】
医療情報システム１０は、医療情報（電子カルテ、診療報酬点数等の情報）の記憶、更新、表示等の各種処理を行うシステムであり、サーバ２０、クライアント２１，２２、携帯端末装置２３、ハブ２５、及び無線ルータ２６を含んで構成される。
【００１２】
サーバ２０は、医療施設における例えば管理室に設置され、記憶装置３０及びＣＰＵ（Central Processing Unit）３１を含んで構成される。
【００１３】
記憶装置３０には、電子カルテを構成する患者の診療情報や診療報酬点数等に関する情報を示すデータ４０と、電子カルテを閲覧、記入等の処理や診療報酬点数等の計算を行うための医療用プログラム４１と、が格納されている。
【００１４】
サーバ２０の記憶装置３０には、更に、後述する携帯端末装置２３の導入時に初期設定を行うための設定プログラム４５と、その初期設定時に参照する設定データ４６とが格納されている。設定プログラム４５はいわゆるキッティングプログラムに相当するものである。設定データ４６はキッティングの際に設定プログラム４５により参照されるデータであり、携帯端末装置２３に設けられた各種装置の状態を設定するための情報を示すデータである。これは例えば、オーディオ装置の有効／無効あるいはその音量であったり、画面表示の明るさであったり、ＧＰＳ（Global Positioning System）機能や無線通信装置の有効／無効等のデータであり、少なくとも装置とその状態を示すデータの組である。尚、ここで有効とはその装置を使用可能な状態にすることであり、無効とはその装置を使用できない状態にすることである。
【００１５】
そして、ＣＰＵ３１は、記憶装置３０に格納された各種プログラム（不図示）を実行することにより、サーバ２０を統括制御する。
【００１６】
クライアント２１，２２は、サーバ２０にアクセス可能なパーソナルコンピュータであり、診察室、会計室のそれぞれに設けられている。また、サーバ２０と、クライアント２１，２２とは、ＬＡＮ（Local Area Network）ケーブルおよびハブ２５を介して接続されている。なお、サーバ２０、及びクライアント２１，２２を含むネットワークは、インターネットとは独立して設けられている。
【００１７】
携帯端末装置２３は、例えばタブレット型の端末装置であり、サーバ２０、及びクライアント２１，２２を含むネットワークに接続された無線ルータ２６をアクセスポイントとして、サーバ２０にアクセスする。タブレット型端末装置はキーボードを備えず、その代わりに表示画面と一体となったタッチパネルを備えた薄型軽量モデルであり、医療スタッフが病室に携行して使用するのに好適である。
【００１８】
無線ルータ２６は、所定の規格Ａ（例えば、Ｗｉ−Ｆｉ（登録商標））の無線通信装置とデータのやりとりを無線通信で行う中継局である。また、無線ルータ２６は、ＬＡＮケーブルを介してサーバ２０、及びクライアント２１，２２を含むネットワークに接続されている。さらに、無線ルータ２６は、例えば、医療施設の病室Ａ、病室Ｂにある無線通信装置（不図示）とデータのやりとりが可能である。
【００１９】
＜＜携帯端末装置２３の詳細＞＞
図２は、携帯端末装置２３の詳細を説明するための図である。携帯端末装置２３は、ＣＰＵ６０、記憶装置６１、表示パネル６２、オーディオ装置６３、無線装置６４，６５、赤外線通信装置６６、及びＧＰＳ受信装置６７を含んで構成される。
【００２０】
ＣＰＵ６０は、記憶装置６１に格納された各種プログラム（図示せず）を実行することにより、携帯端末装置２３を統括制御する。
【００２１】
表示パネル６２は、タッチパネルであり、利用者の操作結果等に応じた画像を表示する。
【００２２】
オーディオ装置６３は、例えば、記憶装置６１に格納された音声ファイル（不図示）が再生された際の音声や、表示パネル６２の操作結果等に応じた通知音を出力する。
【００２３】
無線通信装置６４は、所定の規格Ａの無線通信を行う装置であり、これはサーバ２０との通信に利用される。無線通信装置６５は、所定の規格Ｂ（例えば、ＢＬＵＥＴＯＯＴＨ（登録商標））の無線通信を行う装置である。
【００２４】
赤外線通信装置６６は、赤外線を利用したデータ通信を行う装置であり、ＧＰＳ受信装置６７（位置情報出力装置）は、ＧＰＳ（Global Positioning System）衛星からの電波に基づいて、携帯端末装置２３の現在の位置を示す位置情報を出力する。
【００２５】
記憶装置６１には、サーバ２０からダウンロードした設定プログラム４５と、設定データ４６とが格納される。携帯端末装置２３は、ブラウザを起動してサーバ２０上の特定のＵＲＬ（Uniform Resource Locator）にアクセスすることで、設定プログラム４５と設定データ４６とをダウンロードする。尚、設定プログラム４５には当該タブレット端末で動作し、且つ、タブレットの各種構成を設定／変更できる権限を付与する署名がなされているものである。
【００２６】
＜＜ＣＰＵ６０に実現される機能ブロックの一例＞＞
図３は、ＣＰＵ６０で設定プログラム４５（所定のプログラム）が実行された際に、ＣＰＵ６０に実現される機能ブロックの一例を示す図である。
【００２７】
ＣＰＵ６０には、表示部７０、制御部７１、及び処理部７２が実現される。表示部７０は、設定プログラム４５が出力する初期導入設定画面を表示パネル６２に表示させる。図４は、表示パネル６２に表示された初期導入設定画面１００の一例を示す図である。
【００２８】
初期導入設定画面１００は、画面のタイトルを示すタイトルエリア１１０、サーバアドレス設定ボタン１１１、及び初期導入設定実施ボタン１１２を含んでいる。
【００２９】
タイトルエリア１１０には、当該タブレット端末を医療情報システム１０の端末用に初期設定することを示す“初期導入設定”との表示がされている。
【００３０】
サーバアドレス設定ボタン１１１は、利用者にサーバ２０のアドレスを入力させるためのものである。例えば、サーバアドレス設定ボタン１１１がタップされると、表示パネル６２にソフトキーボード（不図示）が表示され、サーバ２０のアドレスが入力可能となる。尚、導入当初はサーバ２０アドレスは設定済みなので、変更された場合のみマニュアルで設定すればよいものである。
【００３１】
初期導入設定実施ボタン１１２は、初期設定を開始させるためのボタンである。なお、初期導入設定実施ボタン１１２がタップされると、設定プログラム４５は設定処理を実行するが、その間、特に画面表示は行わず、いわゆる裏側で処理を進めるものである。
【００３２】
＜＜設定プログラム４５が実行された際の処理の一例＞＞
図５は、ＣＰＵ６０で設定プログラム４５が実行された際の処理の一例を示すフローチャートである。
【００３３】
まず、利用者が表示パネル６２を操作し、ＣＰＵ６０に設定プログラム４５を実行させると、表示部７０及び制御部７１は、予めダウンロードし、記憶装置６１に格納しておいた設定データ４６を取得する（Ｓ１００）。そして、表示部７０及び制御部７１は、設定データ４６に基づいて、各種の設定処理を行う（Ｓ１０１）。具体的には、表示部７０は、図４に示す初期導入設定画面１００を表示しておいて、制御部７１は、オーディオ装置６３、無線通信装置６４、無線通信装置６５、赤外線通信装置６６、及びＧＰＳ受信装置６７の有効／無効をそれぞれ設定する。本実施例装置ではサーバ２０との通信手段として無線通信装置６４を有効とし、その他の装置を無効としている。また、さらに、設定データ４６の情報に応じて、画面の明るさやオーディオ装置６３の音量、通知音や警告音の有無、カードメディア（記憶媒体）の使用可否、データのバックアップの有効／無効等を設定してもよいものである。そして、設定処理が終了すると、表示部７０及び制御部７１は、処理Ｓ１０１での設定が成功したか否かを判定する（Ｓ１０２）。設定が成功していない場合（Ｓ１０２：ＮＯ）、表示部７０及び制御部７１は、処理Ｓ１００を再度実行し、設定が成功した場合（Ｓ１０２：ＹＥＳ）、表示部７０、及び制御部７１は、処理を終了する。
【００３４】
なお、設定プログラム４５は、上述したような初期導入設定（いわゆるキッティング）の機能に加えて、医療情報システムとして必要なプログラムをサーバ２０からダウンロードする機能も備えている。そこで、初期導入設定を終えてプログラムが終了した後、再度、設定プログラム４５を起動すると、今度は、サーバ２０からダウンロードして当該携帯端末装置２３にインストール可能なプログラムのリストを表示する。設定プログラム４５は、予め設定されているサーバアドレスによりサーバ２０にアクセスし、ダウンロード可能なプログラムのリストを取得して表示するのである。そこで、利用者が必要なプログラムを指定すると、処理部７２は、指定されたプログラム、例えば、医療用プログラム４１をダウンロードし、インストールする。この結果、利用者（例えば、医療スタッフ）は、病室Ａにおいて、携帯端末装置２３を用いて電子カルテの閲覧や、問診結果の入力等実施することができるようになるものである。
【００３５】
以上、本発明の一実施形態である医療情報システム１０について説明した。携帯端末装置２３に医療用プログラム４１をインストールさせる際には、利用者は、インターネットに接続する必要がないため、煩雑な設定を行う必要がない。さらに、携帯端末装置２３において、医療用プログラム４１が実行される際に実際に使用されない装置は、制御部７１により無効化される。このため、利用者は、医療用プログラム４１を実施する際に用いない装置をマニュアルで無効化する必要がない。したがって、携帯端末装置２３は、利用者の手間を省くことが可能となる。
【００３６】
また、制御部７１は、医療用プログラム４１が実行される際に使用されない規格Ｂに対応した無線通信装置６５を無効化する。これにより、携帯端末装置２３のセキュリティの向上と、消費電力の削減が可能となる。
【００３７】
また、制御部７１は、携帯端末装置２３の装置のうち、医療用プログラム４１が実行される際に使用されないＧＰＳ受信装置６７を無効化する。これにより、携帯端末装置２３の消費電力をより抑えることができる。
【００３８】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００３９】
１０  医療情報システム
２０  サーバ
２１，２２  クライアント
２３  携帯端末装置
２５  ハブ
２６  無線ルータ
３０，６１  記憶装置
３１，６０  ＣＰＵ
４０  データ
４１  医療用プログラム
６２  表示パネル
６３  オーディオ装置
６４，６５  無線通信装置
６６  赤外線通信装置
６７  ＧＰＳ受信装置
７０  表示部
７１  制御部
７２  処理部
１００  インストール画面
１１０  タイトルエリア
１１１  サーバアドレス設定ボタン
１１２  初期導入設定実施ボタン
【図１】
2014029640.tif 000003
【図２】
2014029640.tif 000004
【図３】
2014029640.tif 000005
【図４】
2014029640.tif 000006
【図５】
2014029640.tif 000007